(57)【要約】【課題】玄米や白米の輸送系統の効率化を図るとともに、精米工程が重なりあって錯綜するような場合であっても、精米工程の融通性を向上させる【解決手段】玄米タンク群１０Ａ，１０Ｂ毎に装備した玄米空気輸送手段１２Ａ，１２Ｂの輸送管１３Ａ，１３Ｂに分岐弁１６を配置し、分岐弁１６を切替えて任意の玄米タンク１０の玄米を任意の精米部２０Ａ１，２０Ａ２，…に空気輸送するとともに、精米部群２０Ａ，２０Ｂ毎に装備した白米空気輸送手段２５Ａ，２５Ｂの輸送管２６Ａ，２６Ｂに分岐弁２９を配置し、分岐弁２９を切替えて任意の精米部２０Ａ１，２０Ａ２，…で精米した白米を任意の白米タンク３０に空気輸送する。【選択図】    図１
2004267999.tif 000002
【特許請求の範囲】
【請求項１】
複数基の玄米タンクからなる玄米タンク群を複数群、備えた玄米貯蔵エリアと、前記玄米タンク群毎に装備され前記各玄米タンクからの玄米を精米エリアに空気輸送する玄米空気輸送手段と、前記各玄米空気輸送手段の輸送管に配置され当該輸送管を前記精米エリアの複数基の精米部に案内可能な分岐弁と、前記分岐弁を切替えて前記輸送管の玄米輸送経路を選択し任意の前記玄米タンクの玄米を任意の前記精米部に空気輸送させる玄米輸送経路選択手段とを具備したことを特徴とする精米プラント。
【請求項２】
複数基の精米部からなる精米群を複数群、備えた精米部エリアと、前記精米群毎に装備され前記各精米部で精米した白米を白米貯蔵エリアに空気輸送する白米空気輸送手段と、前記各白米空気輸送手段の輸送管に配置され当該輸送管を前記白米貯蔵エリアの複数基の白米タンクに案内可能な分岐弁と、前記分岐弁を切替えて前記輸送管の白米輸送経路を選択し任意の前記精米部で精米した白米を任意の前記白米タンクに空気輸送させる白米輸送経路選択手段とを具備したことを特徴とする精米プラント。
【請求項３】
請求項１に記載された玄米貯蔵エリアと玄米空気輸送手段と分岐弁と玄米輸送経路選択手段、並びに請求項２に記載された精米部エリアと白米空気輸送手段と分岐弁と白米輸送経路選択手段とを具備したことを特徴とする精米プラント。
【請求項４】
前記精米部が精米機の前段と後段に調整タンクを備えたことを特徴とする請求項１、請求項２又は請求項３に記載の精米プラント。
【請求項５】
前記玄米タンク群を構成する玄米タンクの玄米を前記玄米空気輸送手段の輸送管に投入する玄米投入部が、複数基の玄米タンクのいずれかからインパクトフィーダを介して排出された玄米を共通のホッパで受けた後、当該ホッパの底部側に設けられたロータリ弁を介して前記輸送管に投入するようにしたことを特徴とする請求項１又は請求項３に記載の精米プラント。
【発明の詳細な説明】
【０００１】
【発明の属する技術分野】
本発明は精米プラントに係り、特に多数の玄米タンク、精米機、白米タンクを備えた精米プラントに関する。
【０００２】
【従来の技術】
大規模な精米プラントでは、入荷した玄米を産地別、品種別、産年別に貯蔵するために数百基に達する多数の玄米タンクを備えている。また、これらの各種の玄米を複数の精米機を併行して運転しながらロット別に精米し、精米した白米を貯蔵するために多数の精米機と多数の白米タンクを備えている。このような大規模な精米プラントでは精米工程の効率化と融通性を図るために、任意の玄米タンクに収容された玄米を任意の精米機に導くことができ、当該精米機で精米した白米を任意の白米タンクに送り込めることが理想的である。
【０００３】
しかしながら、玄米や白米の輸送をベルトコンベアやチェーンコンベアなどの機械式の輸送装置を用いて行うと、輸送ルートの切替えや合流が煩雑となり融通性のある輸送を実現することはきわめて困難である。このため、上記理想とは程遠い輸送システムとせざるを得ないのが実情であった。
【０００４】
このような問題を解決するために、従前の機械式の輸送方法に替えて米を空気輸送する方法が導入されつつある。この空気輸送方法は特許文献１に記載されているように、輸送管内に導入した圧送用空気によって米を機械式の数〜十数倍の高速度で輸送する。空気輸送方法では輸送管の途中に分岐弁を設けることによって、輸送ルートの切替えを比較的容易に行うことができるので、精米工程の効率化と融通性を図ることができる。
【０００５】
特許文献１に記載された方法では複数の玄米タンクに対して１系統の空気輸送手段を装備し、この空気輸送手段で任意の玄米タンクからの玄米を空気輸送し、当該玄米を２系統の精米部のいずれか一方に送り込むようにしている。また、２系統の精米部に対して１系統の空気輸送手段を装備し、この空気輸送手段でいずれか一方の精米部で精米した白米を空気輸送し、当該白米を複数ある白米タンクに対して任意の白米タンクに送り込むようにしている。
【０００６】
【特許文献１】
特開２００２−３１６０５９号公報
【０００７】
【発明が解決しようとする課題】
特許文献１に記載された方法は玄米タンク、精米部及び白米タンクの数が比較的少ない場合には有効である。しかしながら、数百基に達する多数の玄米タンクを備え、精米部や白米タンクの数も玄米タンクの数に比例して多数にのぼる大規模な精米プラントでは精米工程が重なりあって錯綜するので、１系統の空気輸送手段を基本とする特許文献１に記載された方法では対応が難しくなる。
【０００８】
本発明の目的は上記従来技術の問題点を解消し、玄米や白米の輸送系統の効率化を図るとともに、精米工程が重なりあって錯綜するような場合であっても、精米工程の融通性を向上させることができる精米プラントを提供することにある。
【０００９】
【課題を解決するための手段】
前記の目的を達成するために、本発明の請求項１に係る精米プラントは、複数基の玄米タンクからなる玄米タンク群を複数群、備えた玄米貯蔵エリアと、前記玄米タンク群毎に装備され前記各玄米タンクからの玄米を精米エリアに空気輸送する玄米空気輸送手段と、前記各玄米空気輸送手段の輸送管に配置され当該輸送管を前記精米エリアの複数基の精米部に案内可能な分岐弁と、前記分岐弁を切替えて前記輸送管の玄米輸送経路を選択し任意の前記玄米タンクの玄米を任意の前記精米部に空気輸送させる玄米輸送経路選択手段とを具備したことを特徴とする。
【００１０】
また、本発明の請求項２に係る精米プラントは、複数基の精米部からなる精米群を複数群、備えた精米部エリアと、前記精米群毎に装備され前記各精米部で精米した白米を白米貯蔵エリアに空気輸送する白米空気輸送手段と、前記各白米空気輸送手段の輸送管に配置され当該輸送管を前記白米貯蔵エリアの複数基の白米タンクに案内可能な分岐弁と、前記分岐弁を切替えて前記輸送管の白米輸送経路を選択し任意の前記精米部で精米した白米を任意の前記白米タンクに空気輸送させる白米輸送経路選択手段とを具備したことを特徴とする。
【００１１】
また、本発明の請求項３に係る精米プラントは、上記の請求項１に係る玄米貯蔵エリアと玄米空気輸送手段と分岐弁と玄米輸送経路選択手段、並びに請求項２に係る精米部エリアと白米空気輸送手段と分岐弁と白米輸送経路選択手段とを具備したことを特徴とする。また、本発明の請求項４に係る精米プラントは、上記各請求項に係る精米部が精米機の前段と後段に調整タンクを備えたことを特徴とする。
【００１２】
また、本発明の請求項５に係る精米プラントは、前記玄米タンク群を構成する玄米タンクの玄米を前記玄米空気輸送手段の輸送管に投入する玄米投入部が、複数基の玄米タンクのいずれかからインパクトフィーダを介して排出された玄米を共通のホッパで受けた後、当該ホッパの底部側に設けられたロータリ弁を介して前記輸送管に投入するようにしたことを特徴とする。
【００１３】
【作用】
請求項１の発明によれば、複数基の玄米タンクからなる玄米タンク群毎に各玄米タンクからの玄米を空気輸送する玄米空気輸送手段を装備し、各玄米空気輸送手段の輸送管に配置した分岐弁を切替えることによって、玄米輸送経路を選択し、任意の玄米タンクの玄米を任意の精米部に空気輸送することができる。このため、玄米の輸送系統の効率化を図ることができる。
【００１４】
請求項２の発明によれば、複数基の精米部からなる精米部群毎に各精米部で精米した白米を空気輸送する白米空気輸送手段を装備し、各白米空気輸送手段の輸送管に配置した分岐弁を切替えることによって、白米輸送経路を選択し、任意の精米部で精米した白米を任意の白米タンクに空気輸送することができる。このため、白米の輸送系統の効率化を図ることができる。
【００１５】
請求項３の発明によれば、上記請求項１及び請求項２に係る発明の特徴を兼ね備えたので、玄米と白米の輸送系統の効率化を図るとともに、精米工程が重なりあって錯綜するような場合であっても、精米工程の融通性を向上させることができる。
【００１６】
請求項４の発明によれば、精米機の前段と後段に調整タンクを備えたので、玄米空気輸送手段のタイムスケジュールを前段の調整タンクで、白米空気輸送手段のタイムスケジュールを後段の調整タンクでそれぞれ調整でき、玄米や白米の輸送系統の効率化と、精米工程の融通性をより一層向上させることができる。
【００１７】
請求項５の発明によれば、複数基の玄米タンクに対して玄米排出用のロータリ弁を共用するので、玄米タンク１基毎にロータリ弁を設ける場合に比べて高価なロータリ弁の設置数を減らすことができる。また、必要に応じてブレンドした玄米を精米部に送り込むことができる。
【００１８】
【発明の実施の形態】
図１は本発明に係る精米プラントの第１実施形態を示す装置系統図である。精米プラント１は主として玄米貯蔵エリア２と精米エリア３と白米貯蔵エリア４とによって構成されている。玄米貯蔵エリア２は入荷した玄米を産地別、品種別、産年別に貯蔵するエリアであり、２系列の玄米タンク群１０Ａ，１０Ｂからなる。玄米タンク群１０Ａは４基の玄米タンク１０Ａ１，１０Ａ２，１０Ａ３，１０Ａ４によって構成される。また、玄米タンク群１０Ｂは４基の玄米タンク１０Ｂ１，１０Ｂ２，１０Ｂ３，１０Ｂ４によって構成される。
【００１９】
精米エリア３は玄米貯蔵エリア２から送られた玄米を精米するエリアであり、２系列の精米部群２０Ａ，２０Ｂからなる。精米部群２０Ａは２基の精米部２０Ａ１，２０Ａ２によって構成される。また、精米部群２０Ｂは２基の精米部２０Ｂ１，２０Ｂ２によって構成される。各精米部２０は精米機２３Ａ１，２３Ａ２，２３Ｂ１，２３Ｂ２の前段に調整タンク２２Ａ１，２２Ａ２，２２Ｂ１，２２Ｂ２を、後段に調整タンク２４Ａ１，２４Ａ２，２４Ｂ１，２４Ｂ２を備えている。
【００２０】
白米貯蔵エリア４は精米エリア３で精米された白米を貯蔵するエリアであり、２系列の白米タンク群３０Ａ，３０Ｂからなる。白米タンク群３０Ａは４基の白米タンク３０Ａ１，３０Ａ２，３０Ａ３，３０Ａ４によって構成される。また、白米タンク群３０Ｂは４基の白米タンク３０Ｂ１，３０Ｂ２，３０Ｂ３，３０Ｂ４によって構成される。
【００２１】
玄米タンク群１０Ａには玄米空気輸送手段１２Ａが装備されている。この玄米空気輸送手段１２Ａは輸送管１３Ａ内にブロワ１４Ａからの圧送用空気を高速で流し、この空気流によって玄米を精米エリア３に送り込む。輸送管１３Ａと４基の玄米タンク１０Ａ１，１０Ａ２，１０Ａ３，１０Ａ４とはそれぞれ玄米投入管１５Ａによって接続されている。また、輸送管１３Ａは分岐弁１６Ａ１，１６Ａ２，１６Ａ３によってツリー状に分岐し、前記した４基の精米部に係る前段の調整タンク２２Ａ１，２２Ａ２，２２Ｂ１，２２Ｂ２のいずれにも接続している。
【００２２】
同様に、玄米タンク群１０Ｂには輸送管１３Ｂとブロワ１４Ｂを備えた玄米空気輸送手段１２Ｂが装備されている。輸送管１３Ｂと４基の玄米タンク１０Ｂ１，１０Ｂ２，１０Ｂ３，１０Ｂ４とはそれぞれ玄米投入管１５Ｂによって接続されている。また、輸送管１３Ｂは分岐弁１６Ｂ１，１６Ｂ２，１６Ｂ３によってツリー状に分岐し、この輸送管１３Ｂの分岐先が前記輸送管１３Ａの分岐先と合流して、４基の精米部に係る前段の調整タンク２２Ａ１，２２Ａ２，２２Ｂ１，２２Ｂ２のいずれにも接続している。
【００２３】
精米部群２０Ａには白米空気輸送手段２５Ａが装備されている。この白米空気輸送手段２５Ａは輸送管２６Ａ内にブロワ２７Ａからの圧送用空気を高速で流し、この空気流によって白米を白米エリア４に送り込む。輸送管２６Ａと２基の精米部２０Ａ１，２０Ａ２に係る後段の調整タンク２４Ａ１，２４Ａ２とはそれぞれ白米投入管２８Ａによって接続されている。また、輸送管２６Ａは分岐弁２９Ａ１，２９Ａ２，２９Ａ３によってツリー状に分岐し、白米エリア４の白米タンクのすべてに接続している。
【００２４】
同様に、精米部群２０Ｂには輸送管２６Ｂとブロワ２７Ｂを備えた白米空気輸送手段２５Ｂが装備されている。輸送管２６Ｂと２基の精米部２０Ｂ１，２０Ｂ２に係る後段の調整タンク２４Ｂ１，２４Ｂ２とはそれぞれ白米投入管２８Ｂによって接続されている。また、輸送管２６Ｂは分岐弁２９Ｂ１，２９Ｂ２，２９Ｂ３によってツリー状に分岐し、この輸送管２６Ｂの分岐先が前記輸送管２６Ａの分岐先と合流して、白米エリア４の白米タンクのすべてに接続している。
【００２５】
上記の構成によれば任意の玄米タンク１０の玄米を任意の精米部２０に空気輸送することができる。例えば玄米タンク１０Ａ１内の玄米を精米部２０Ａ１に送り込む場合には、玄米タンク１０Ａ１の底部に設けたロータリ弁（図示せず。）を作動させる。すると、玄米タンク１０Ａ１内の玄米が玄米投入管１５Ａを介して玄米空気輸送手段１２Ａの輸送管１３Ａに投入され、ブロワ１４Ａからの圧送用空気によって空気輸送される。輸送管１３Ａでは投入された玄米が精米部２０Ａ１に送り込まれるように分岐弁１６Ａ１，１６Ａ２の分岐方向が玄米輸送経路選択手段（図示せず。）によって選択される。その結果、玄米は精米部２０Ａ１に係る前段の調整タンク２２Ａ１に送り込まれる。
【００２６】
また、例えば玄米タンク１０Ａ１内の玄米を精米部２０Ｂ２に送り込む場合には、同様に分岐弁１６Ａ１，１６Ａ３の分岐方向が玄米輸送経路選択手段によって選択され、玄米を精米部２０Ｂ２に導く。
【００２７】
また、玄米タンク１０Ｂ４内の玄米を精米部２０Ａ２に送り込む場合には、玄米タンク１０Ｂ４の底部に設けたロータリ弁（図示せず。）を作動させる。すると、玄米タンク１０Ｂ４内の玄米が玄米投入管１５Ｂを介して玄米空気輸送手段１２Ｂの輸送管１３Ｂに投入され、ブロワ１４Ｂからの圧送用空気によって空気輸送される。輸送管１３Ｂでは投入された玄米が精米部２０Ａ２に送り込まれるように分岐弁１６Ｂ１，１６Ｂ２の分岐方向が玄米輸送経路選択手段によって選択される。その結果、玄米は精米部２０Ａ２に係る前段の調整タンク２２Ａ２に送り込まれる。
他の玄米タンク内の玄米を行先の精米部を指定して送り込む場合にも、上記と同様であり、玄米空気輸送手段１２Ａ，１２Ｂによって任意の玄米タンクの玄米を任意の精米部に空気輸送することができる。
【００２８】
各精米部２０では輸送された玄米を前段の調整タンク２２で一時的にストックした後に精米機２３に定量供給する。精米機２３では供給された玄米を精米して白米とし、この白米は後段の調整タンク２４に送り込まれる。後段の調整タンク２４では送られた白米を一時的にストックし、白米空気輸送手段２５Ａ又は２５Ｂによる輸送が開始されるまで待機する。白米空気輸送手段２５Ａ又は２５Ｂによれば、任意の精米部２０で精米した白米を任意の白米タンク３０に空気輸送することができる。
【００２９】
例えば精米部２０Ａ１で精米した白米を白米タンク３０Ａ１に送り込む場合には、精米部２０Ａ１に係る後段の調整タンク２４Ａ１の底部に設けたロータリ弁（図示せず。）を作動させる。すると、調整タンク２４Ａ１内の白米が白米投入管２８Ａを介して白米空気輸送手段２５Ａの輸送管２６Ａに投入され、ブロワ２７Ａからの圧送用空気によって空気輸送される。輸送管２６Ａでは投入された白米が白米タンク３０Ａ１に送り込まれるように分岐弁２９Ａ１，２９Ａ２の分岐方向が白米輸送経路選択手段（図示せず。）によって選択される。その結果、白米は白米タンク３０Ａ１に送り込まれる。
【００３０】
また、例えば精米部２０Ａ１で精米した白米を白米タンク３０Ｂ４に送り込む場合には、同様に分岐弁２９Ａ１，２９Ａ３の分岐方向が白米輸送経路選択手段によって選択され、白米を白米タンク３０Ｂ４に導く。
また、例えば精米部２０Ｂ２で精米した白米を白米タンク３０Ａ４に送り込む場合には、精米部２０Ｂ２に係る後段の調整タンク２４Ｂ２の底部に設けたロータリ弁（図示せず。）を作動させる。すると、調整タンク２４Ｂ２内の白米が白米投入管２８Ｂを介して白米空気輸送手段２５Ｂの輸送管２６Ｂに投入され、ブロワ２７Ｂからの圧送用空気によって空気輸送される。輸送管２６Ｂでは投入された白米が白米タンク３０Ａ４に送り込まれるように分岐弁２９Ｂ１，２９Ｂ２の分岐方向が白米輸送経路選択手段によって選択される。その結果、白米は白米タンク３０Ａ４に送り込まれる。
【００３１】
他の精米部２０で精米した白米を指定した白米タンク３０を送り込む場合にも、上記と同様であり、白米空気輸送手段２５Ａ，２５Ｂによって任意の精米部２０で精米した白米を任意の白米タンク３０に空気輸送することができる。
【００３２】
上述のとおり、本実施形態の精米プラントによれば２系列の玄米空気輸送手段１２Ａ，１２Ｂと２系列の白米空気輸送手段２５Ａ，２５Ｂを用いて、玄米又は白米とをそれぞれ自在に輸送することができる。したがって、玄米や白米の輸送系統の効率化を図ることができ、精米工程が重なり合って錯綜するような場合であっても、精米工程の融通性を向上させることができる。また、精米機２３の前段と後段に調整タンクを備えたので、玄米空気輸送手段１２のタイムスケジュールを前段の調整タンク２２で、白米空気輸送手段２５のタイムスケジュールを後段の調整タンク２４でそれぞれ調整でき、玄米や白米の輸送系統の効率化と精米工程の融通性をより一層向上させることができる。
【００３３】
図２は本発明に係る精米プラントの第２実施形態を示す装置系統図である。この実施形態は大規模な精米プラントを想定しており、玄米貯蔵エリアでは２００基の玄米タンクを４系列の玄米タンク群４０に分割している。各玄米タンク群４０は５０基の玄米タンクで構成され、玄米タンク群４０毎に玄米空気輸送手段４２を装備している。
【００３４】
精米エリアでは１２基の精米部を４系列の精米部群５０に分割している。精米部群５０は３基の精米部で構成され、精米部群５０毎に白米空気輸送手段５２を装備している。白米エリアでは１００基の白米タンクを４系列の白米タンク群６０に分割している。各玄米タンク群６０は２５基の白米タンクで構成される。
【００３５】
各玄米空気輸送手段４２の輸送管は第１実施形態と同様にツリー状に分岐し、その分岐先が他系列の玄米空気輸送手段４２に係る輸送管の分岐先と合流することによって、１２基の精米部に対して任意の精米部に玄米を空気輸送できるようにされている。また、各白米空気輸送手段５２の輸送管もツリー状に分岐し、その分岐先が他系列の白米空気輸送手段５２に係る輸送管の分岐先と合流することによって、１００基の白米タンクに対して任意の白米タンクに白米を空気輸送できるようにされている。
【００３６】
この第２実施形態では１系列の玄米空気輸送手段４２が５０基の玄米タンクに対応し、１２基の精米部に玄米を空気輸送することができる。また、１系列の白米空気輸送手段５２が３基の精米部に対応し、１００基の白米タンクに白米を空気輸送することができる。このため、玄米や白米を輸送するための装置コストを大幅に低減できる。また、この第２実施形態では各機器の基数が多い分、第１実施形態に比べてより一層精米工程が重なり合って錯綜するが、このような状況にも対応し、輸送系統の効率化と精米工程における融通性の向上を図ることができる。
【００３７】
図３は本発明に係る精米プラントの玄米投入部の変形例を示す部分系統図である。玄米タンク群７０は複数基の玄米タンク７２によって構成されている。各玄米タンク７２の底部には開閉弁７４を備えた第１排出管７６が接続している。第１排出管７６の下流側は隣の玄米タンク７２に係る第１排出管７６と合流したのちインパクトフィーダ７８に接続している。インパクトフィーダ７８は自重で落下してくる玄米を傾斜板で受けて下方に排出するフィーダであり、定量性はあるが気密性に欠ける。インパクトフィーダ７８は第２排出管８０を介して下方のホッパ８２に接続している。
【００３８】
ホッパ８２には前記インパクトフィーダ７８と隣接するインパクトフィーダ７８からの第２排出管８０も接続している。ホッパ８２の底部側にはロータリ弁８４が取り付けられている。ロータリ弁８４はホッパ８２内の玄米の定量排出機能と気密性を備えている。ロータリ弁８４の排出側は第３排出管８６を介して玄米空気輸送手段９０の輸送管９２に接続している。玄米空気輸送手段９０はブロワ９４からの圧送用空気を輸送管９２に供給し、第３排出管８６から投入された玄米を図示しない精米部に空気輸送する。図３に明示したように２基の玄米タンク７２に対して１台のインパクトフィーダ７８が共用され、２台のインパクトフィーダ７８に対して１組のホッパ８２とロータリ弁８４が共用される。この結果、１組のホッパ８２とロータリ弁８４は４基分の玄米タンク７２の玄米を玄米空気輸送手段９０に送り込む役目を果たす。
【００３９】
通常の使用方法はいずれか１基の輸送したい玄米タンク７２の開閉弁７４を開放し、残り３基の玄米タンク７２の開閉弁７４を閉止しておく。すると、開閉弁７４が開放された玄米タンク７２内の玄米が第１排出管７６を介してインパクトフィーダ７８で定量排出され、第２排出管８０を経てホッパ８２に一時的にストックされる。その後、ホッパ８２内の玄米はロータリ弁８４から玄米空気輸送手段９０の輸送管９２に送り込まれる。所望量の玄米が玄米タンク７２から排出された段階で当該玄米タンク７２の開閉弁７４を閉止する。最後の玄米がインパクトフィーダ７８、ホッパ８２、ロータリ弁８４を経て、ロータリ弁８４が空転し始めたタイミングでロータリ弁８４の稼動を停止する。以上の操作で１回分の玄米の投入操作が完了し、この玄米タンク７２が４基分で１組の投入部は次の投入機会が来るまで待機する。なお、輸送管９２と常時連通しているロータリ弁８４は空の状態でも気密性がある。したがって、輸送管９２内に圧送用空気が流れている場合でも圧送用空気がロータリ弁８４やホッパ８２を経て玄米タンク７２側に逆流することはない。
【００４０】
また、この玄米投入部は玄米のブレンド機能がある。すなわち、一つのホッパ８２に対して２基以上の玄米タンク７２から、生産地や品種の異なる玄米を同時に投入すると、ホッパ８２内では２種類以上の玄米がブレンドした状態でストックされる。したがって、このブレンドした玄米を玄米空気輸送手段９０で精米部に送り、精米部で精米するとブレンドされた白米を得ることができる。
【００４１】
上述の玄米投入部の変形例では４基の玄米タンク７２に対して１台のロータリ弁８４を共用するので、玄米タンク１基毎にロータリ弁を設ける場合に比べて高価なロータリ弁の設置数を４分の１に減らすことができる。また、必要に応じてブレンドした玄米を精米部に送り込むことができる。
【００４２】
【発明の効果】
本発明によれば、玄米や白米の輸送系統の効率化を図ることができ、精米工程が重なり合って錯綜するような場合であっても、精米工程の融通性を向上させることができる。特に、精米機の前段と後段に調整タンクを備えると玄米空気輸送手段のタイムスケジュールを前段の調整タンクで、白米空気輸送手段のタイムスケジュールを後段の調整タンクでそれぞれ調整でき、玄米や白米の輸送系統の効率化と精米工程の融通性をより一層向上させることができる。
【００４３】
また、複数基の玄米タンクに対して玄米排出用のロータリ弁を共用することによって、高価なロータリ弁の設置数を減らすことができ、必要に応じてブレンドした玄米を精米部に送り込むことができる。
【図面の簡単な説明】
【図１】本発明に係る精米プラントの第１実施形態を示す装置系統図である。
【図２】本発明に係る精米プラントの第２実施形態を示す装置系統図である。
【図３】本発明に係る精米プラントの玄米投入部の変形例を示す部分系統図である。
【符号の説明】
１………精米プラント、２………玄米貯蔵エリア、３………精米エリア、４………白米貯蔵エリア、１０Ａ，１０Ｂ………玄米タンク群、１０Ａ１，１０Ａ２，１０Ａ３，１０Ａ４，１０Ｂ１，１０Ｂ２，１０Ｂ３，１０Ｂ４………玄米タンク、１２Ａ，１２Ｂ………玄米空気輸送手段、１３Ａ，１３Ｂ………輸送管、１４Ａ，１４Ｂ………ブロワ、１５Ａ，１５Ｂ………玄米投入管、１６Ａ１，１６Ａ２，１６Ａ３，１６Ｂ１，１６Ｂ２，１６Ｂ３………分岐弁、２０Ａ，２０Ｂ………精米部群、２０Ａ１，２０Ａ２，２０Ｂ１，２０Ｂ２………精米部、２２Ａ１，２２Ａ２，２２Ｂ１，２２Ｂ２………前段の調整タンク、２３Ａ１，２３Ａ２，２３Ｂ１，２３Ｂ２………精米機、２４Ａ１，２４Ａ２，２４Ｂ１，２４Ｂ２………後段の調整タンク、２５Ａ，２５Ｂ………白米空気輸送手段、２６Ａ，２６Ｂ………輸送管、２７Ａ，２７Ｂ………ブロワ、２８Ａ，２８Ｂ………白米投入管、２９Ａ１，２９Ａ２，２９Ａ３，２９Ｂ１，２９Ｂ２，２９Ｂ３………分岐弁、３０Ａ，３０Ｂ………白米タンク群、３０Ａ１，３０Ａ２，３０Ａ３，３０Ａ４，３０Ｂ１，３０Ｂ２，３０Ｂ３，３０Ｂ４………白米タンク。
【図１】
2004267999.tif 000003
【図２】
2004267999.tif 000004
【図３】
2004267999.tif 000005